【手続補正書】
【提出日】平成18年2月16日(2006.2.16)
【手続補正１】
【補正対象書類名】明細書
【補正対象項目名】発明の名称
【補正方法】変更
【補正の内容】
【発明の名称】情報処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】  第１の記憶媒体および第２の記憶媒体が装着される情報処理装置において、
前記第１の記憶媒体の装着を検出する第１の検出手段と、
前記第２の記憶媒体の装着を検出する第２の検出手段と、
前記第１の検出手段の検出に基づき、前記第１の記憶媒体が装着されたとき、前記第１の記憶媒体に対応する第１のアイコンを表示装置に表示させ、前記第２の検出手段の検出に基づき、前記第２の記憶媒体が装着されたとき、前記第２の記憶媒体に対応する第２のアイコンを前記表示装置に表示させるアイコン表示制御手段と
を含むことを特徴とする情報処理装置。
【請求項２】  前記第１の記憶媒体は、ＰＣカードである
ことを特徴とする請求項１に記載の情報処理装置。
【請求項３】  前記第１の記憶媒体は、メモリースティックである
ことを特徴とする請求項１に記載の情報処理装置。
【請求項４】 装着されている前記第１の記憶媒体から、第１の静止画像を読み出す第１の読み出し手段と、
装着されている前記第２の記憶媒体から、第２の静止画像を読み出す第２の読み出し手段と、
前記第１の読み出し手段により読み出された前記第１の静止画像または前記第２の読み出し手段により読み出された前記第２の静止画像を前記表示装置に表示させる画像表示制御手段と
をさらに含み、
前記アイコン表示制御手段は、前記表示装置に前記第１の静止画像を表示させている場合、前記第１の記憶媒体が抜き取られたとき、前記第１の記憶媒体に対応する第３のアイコンを表示させ、前記表示装置に前記第２の静止画像を表示させている場合、前記第２の記憶媒体が抜き取られたとき、前記第２の記憶媒体に対応する第４のアイコンを表示させる
ことを特徴とする請求項１に記載の情報処理装置。
【請求項５】 前記第１の検出手段は、第３の記憶媒体の装着を検出し、
前記第１の読み出し手段は、前記表示装置に前記第１の静止画像を表示させている場合、前記第１の記憶媒体が抜き取られ、前記第３の記憶媒体の装着が検出されたとき、装着されている前記第３の記憶媒体から、所定の第３の静止画像を読み出し、
前記画像表示制御手段は、前記第３の画像を前記表示装置に表示させる
ことを特徴とする請求項４に記載の情報処理装置。
【請求項６】 前記第２の検出手段は、第４の記憶媒体の装着を検出し、
前記第２の読み出し手段は、前記表示装置に前記第２の静止画像を表示させている場合、前記第２の記憶媒体が抜き取られ、前記第４の記憶媒体の装着が検出されたとき、装着されている前記第４の記憶媒体から、所定の第４の静止画像を読み出し、
前記画像表示制御手段は、前記第４の画像を前記表示装置に表示させる
ことを特徴とする請求項５に記載の情報処理装置。
【請求項７】  第１の記憶媒体および第２の記憶媒体が装着される情報処理装置の情報処理方法において、
前記第１の記憶媒体の装着を検出する第１の検出ステップと、
前記第２の記憶媒体の装着を検出する第２の検出ステップと、
前記第１の検出ステップでの検出に基づき、前記第１の記憶媒体が装着されたとき、前記第１の記憶媒体に対応する第１のアイコンを表示装置に表示させ、前記第２の検出ステップでの検出に基づき、前記第２の記憶媒体が装着されたとき、前記第２の記憶媒体に対応する第２のアイコンを前記表示装置に表示させるアイコン表示制御ステップと
を含むことを特徴とする情報処理方法。
【請求項８】  第１の記憶媒体および第２の記憶媒体が装着される情報処理装置に、
前記第１の記憶媒体の装着を検出する第１の検出ステップと、
前記第２の記憶媒体の装着を検出する第２の検出ステップと、
前記第１の検出ステップでの検出に基づき、前記第１の記憶媒体が装着されたとき、前記第１の記憶媒体に対応する第１のアイコンを表示装置に表示させ、前記第２の検出ステップでの検出に基づき、前記第２の記憶媒体が装着されたとき、前記第２の記憶媒体に対応する第２のアイコンを前記表示装置に表示させるアイコン表示制御ステップと
を含む処理を実行させるコンピュータが読み取り可能なプログラムを記録していることを特徴とする記録媒体。
【手続補正３】
【補正対象書類名】明細書
【補正対象項目名】０００１
【補正方法】変更
【補正の内容】
【０００１】
【発明の属する技術分野】
本発明は、情報処理装置および方法、並びに記録媒体に関し、特に、複数の記憶媒体を装着し、複数の記憶媒体にデータを記憶させ、複数の記憶媒体からデータを読み出す情報処理装置および方法、並びに記録媒体に関する。
【手続補正４】
【補正対象書類名】明細書
【補正対象項目名】０００６
【補正方法】変更
【補正の内容】
【０００６】
【課題を解決するための手段】
請求項１に記載の情報処理装置は、第１の記憶媒体の装着を検出する第１の検出手段と、第２の記憶媒体の装着を検出する第２の検出手段と、第１の検出手段の検出に基づき、第１の記憶媒体が装着されたとき、第１の記憶媒体に対応する第１のアイコンを表示装置に表示させ、第２の検出手段の検出に基づき、第２の記憶媒体が装着されたとき、第２の記憶媒体に対応する第２のアイコンを表示装置に表示させるアイコン表示制御手段とを含むことを特徴とする。
【手続補正５】
【補正対象書類名】明細書
【補正対象項目名】０００７
【補正方法】変更
【補正の内容】
【０００７】
請求項７に記載の情報処理方法は、第１の記憶媒体の装着を検出する第１の検出ステップと、第２の記憶媒体の装着を検出する第２の検出ステップと、第１の検出ステップでの検出に基づき、第１の記憶媒体が装着されたとき、第１の記憶媒体に対応する第１のアイコンを表示装置に表示させ、第２の検出ステップでの検出に基づき、第２の記憶媒体が装着されたとき、第２の記憶媒体に対応する第２のアイコンを表示装置に表示させるアイコン表示制御ステップとを含むことを特徴とする。
【手続補正６】
【補正対象書類名】明細書
【補正対象項目名】０００８
【補正方法】変更
【補正の内容】
【０００８】
請求項８に記載の記録媒体は、情報処理装置に、第１の記憶媒体の装着を検出する第１の検出ステップと、第２の記憶媒体の装着を検出する第２の検出ステップと、第１の検出ステップでの検出に基づき、第１の記憶媒体が装着されたとき、第１の記憶媒体に対応する第１のアイコンを表示装置に表示させ、第２の検出ステップでの検出に基づき、第２の記憶媒体が装着されたとき、第２の記憶媒体に対応する第２のアイコンを表示装置に表示させるアイコン表示制御ステップとを含む処理を実行させるコンピュータが読み取り可能なプログラムを記録していることを特徴とする。
【手続補正７】
【補正対象書類名】明細書
【補正対象項目名】０００９
【補正方法】変更
【補正の内容】
【０００９】
請求項１に記載の情報処理装置、請求項７に記載の情報処理方法、および請求項８に記載の記録媒体においては、第１の記憶媒体の装着が検出され、第２の記憶媒体の装着が検出され、第１の記憶媒体が装着されたとき、第１の記憶媒体に対応する第１のアイコンが表示装置に表示され、第２の記憶媒体が装着されたとき、第２の記憶媒体に対応する第２のアイコンが表示装置に表示される。
【手続補正８】
【補正対象書類名】明細書
【補正対象項目名】０１１５
【補正方法】変更
【補正の内容】
【０１１５】
【発明の効果】
請求項１に記載の情報処理装置、請求項７に記載の情報処理方法、および請求項８に記載の記録媒体によれば、第１の記憶媒体の装着が検出され、第２の記憶媒体の装着が検出され、第１の記憶媒体が装着されたとき、第１の記憶媒体に対応する第１のアイコンが表示装置に表示され、第２の記憶媒体が装着されたとき、第２の記憶媒体に対応する第２のアイコンが表示装置に表示されるようにしたので、利用者の慣れを必要とせず、利用者が記憶媒体の名称を知らなくても、複数の記憶媒体が装着された情報処理装置の操作において、確実に、所定の記憶媒体を選択することができるようになる。